(57)【要約】  シンボルに対応する第１選択が使用され、情報ではない機能が識別される機器、方法および装置が開示される。情報ではない機能に対応するオブジェクトが与えられ、選択され、ユーザが望むことが指示され、機能の仕事が実行される。ユーザの選択を受けたとき、機能が実行される。【選択図】図１
2008523667.tif 000002
【特許請求の範囲】
【請求項１】
ユーザにシンボルを指示させることができる入力装置と、
ディスプレイと、
前記入力装置およびディスプレイと通信関係をもつマイクロプロセッサとからなり、前記マイクロプロセッサは、（ａ）前記入力装置からの第１選択を受け、前記第1選択は１つまたはそれよりも多いシンボルを指示し、（ｂ）前記第１選択に対応する情報ではない機能を識別し、（ｃ）前記情報ではない機能に対応する第１オブジェクトを与え、（ｄ）前記入力装置からの第２選択を受け、前記第２選択は前記オブジェクトを指示し、（ｅ）前記指示されたオブジェクトに対応する機能を実行するようプログラムされていることを特徴とする機器。
【請求項２】
前記マイクロプロセッサは前記ディスプレイを介して第２オブジェクトを与えるようプログラムされており、前記第２オブジェクトは前記第１選択に対応する機能ではない情報に関連付けられていることを特徴とする請求項１に記載の機器。
【請求項３】
前記第２オブジェクトは電話番号であることを特徴とする請求項２に記載の機器。
【請求項４】
前記第２オブジェクトはテキストであることを特徴とする請求項２に記載の機器。
【請求項５】
前記機能は前記マイクロプロセッサに仕事を達成させることができるプログラムであることを特徴とする請求項１に記載の機器。
【請求項６】
前記仕事は電話番号をダイヤルすることであることを特徴とする請求項５に記載の機器。
【請求項７】
前記機能は少なくとも２つのシンボル列の１つによって識別されることを特徴とする請求項５に記載の機器。
【請求項８】
前記入力装置は１つよりも多いシンボルに対応するキーを含むことを特徴とする請求項１に記載の機器。
【請求項９】
前記キーに対応する少なくとも１つのシンボルは数字であり、前記キーに対応する少なくとも１つのシンボルは文字であることを特徴とする請求項８に記載の機器。
【請求項１０】
前記キーに対応する少なくとも２つのシンボルが文字であることを特徴とする請求項８に記載の機器。
【請求項１１】
前記第１オブジェクトが機能ではない情報に関連付けられていることを特徴とする請求項１に記載の機器。
【請求項１２】
ユーザにシンボルを指示させることができる入力装置を提供し、
ディスプレイを提供し、
前記入力装置およびディスプレイと通信関係をもつマイクロプロセッサを提供し、
前記入力装置からの第１選択を受け、前記第1選択は１つまたはそれよりも多いシンボルを指示し、
前記第１選択に対応する情報ではない機能を識別し、
前記情報ではない機能に対応する第１オブジェクトを提供し、
前記入力装置からの第２選択を受け、前記第２選択は前記オブジェクトを指示し、
前記指示されたオブジェクトに対応する機能を実行することを特徴とする機能を識別する方法。
【請求項１３】
さらに、前記ディスプレイを介して第２オブジェクトを提供し、前記第２オブジェクトは前記第１選択に対応する機能ではない情報と関連付けられていることを特徴とする請求項１２に記載の方法。
【請求項１４】
前記第２オブジェクトは電話番号であることを特徴とする請求項１３に記載の方法。
【請求項１５】
前記第２オブジェクトはテキストであることを特徴とする請求項１３に記載の方法。
【請求項１６】
前記機能は前記マイクロプロセッサに仕事を達成させることができるプログラムであることを特徴とする請求項１２に記載の方法。
【請求項１７】
前記仕事は電話番号をダイヤルすることであることを特徴とする請求項１６に記載の方法。
【請求項１８】
前記機能は少なくとも２つのシンボル列の１つによって識別されることを特徴とする請求項１６に記載の方法。
【請求項１９】
前記第１オブジェクトも機能ではない情報に関連付けられていることを特徴とする請求項１２に記載の方法。
【請求項２０】
コンビュータによって実行することができる命令が記憶され、前記命令はコンピュータに、（ａ）入力装置からの第1選択を受けさせ、前記第１選択は１つまたはそれよりも多いシンボルを指示し、（ｂ）前記第１選択に対応する情報ではない機能を識別させ、（ｃ）前記情報ではない機能に対応する第１オブジェクトを与えさせ、（ｄ）前記入力装置からの第２選択を受けさせ、前記第２選択は前記オブジェクトを指示し、（ｅ）前記指示されたオブジェクトに対応する機能を実行させることができるようにしたことを特徴とするコンピュータ読み取りメモリ装置。
【請求項２１】
前記命令は前記コンピュータに第２オブジェクトを与えさせることができ、前記第２オブジェクトは前記第１選択に対応する機能ではない情報と関連付けられていることを特徴とする請求項２０に記載のメモリ装置。
【発明の詳細な説明】
【技術分野】
【０００１】
この発明は、検索するための機器、方法および装置に関するものである。
【背景技術】
【０００２】
ユーザにとって１つまたは２つよりも多いアプリケーションと対話しやすい幾つかのパーソナルデータ機器がある。一例として、携帯電話を使用すると、番号をダイヤルすることだけが直接プロセスであり、ユーザは最初にキーを押すことによって呼び出すことができる。写真を撮ること、またはテキストメッセージを送ることなどの形態電話で利用される他の機能に、１つよりも多いキーが要求される。
【０００３】
テキストメッセージまたはカメラ、またはカレンダの機能の符号化などのユーザに利用されるアプリケーション、またはプログラムへのアクセスについては、普通ユーザがこの機能にナビゲートする必要がある。この機能は、一般にメニュー構造に依存し、各メニューのアイテムが幾つかのチョイスを提供し、最終チョイスが現れる。例えば、代表的携帯電話のダイヤルアプリケーションにおいて、電話帳を使用するには、ユーザは、（ｉ）電話帳機能を選択し、（ｉｉ）番号を発見し、呼び出すか、または編集するかを決定し、（ｉｉｉ）使用される入力を配置し、（ｉｖ）電話機能を呼び出さねばならない。
【０００４】
このナビゲーションは、慎重にボタンを押し、カーソルを望まれるチョイスに移動させ、キーを押し、機能を選択することによって達成することができる。望まれるチョイスはディスプレイモニタに与えられるアイコンとして与えられる。ユーザの負担を軽減するため、多いディスプレイモニタが使用され、電話が休止状態であるとき、幾つかの機能アイコンがディスプレイに見つけられることが普通である。この場合、ユーザはタッチモニタを使用する機能を選択するか、またはキーパッドから直接数字をダイヤルする。
【０００５】
幾つかの機器では、音声命令が使用され、機能がナビゲートされる。しかしながら、特に機器が高いレベルの周囲ノイズのある環境で使用されるとき、またはユーザがディスプレイから読み取り、命令シーケンスを続けねばならないとき、このようなシステムは便宜ではなく、信頼されない。さらに、音声命令を使用するには、相当の演算力が要求され、これが機器のコスト、大きさを増大させ、速度を減少させる。
【０００６】
機器をユーザが直感認識することができるよう動作させることが好ましい。この目的を達成することは困難である。その理由は、機器はユーザが直感認識することができるよう作用せず、機器に使用される機能は同様ではないということである。例えば、写真を撮り、記憶する機能はメッセージを送る前、テキストメッセージを生じさせ、イメージをテキストメッセージに付加する機能とは異なる。
【０００７】
精巧な機器に精通する者は、機器が与える機能に必要な動作シーケンスを迅速に理解するとができる。しかしながら、ほとんどの者は最初の試みで望まれる機能をアクセスすることができず、落胆する。ユーザが機能をアクセスし、使用することができないとき、ユーザは不信感をつのらせ、それを再度試みない。したがって、機器に与えられる機能が使用されず、その機器は不必要な特徴があり、面倒であると認識される。さらに、サービスプロバイダは機能の使用によって生じる利益を受けない。
【０００８】
幾つかの機器は、ユーザに質疑応答技術または提案承認技術を対話的に使用することを試みる。命令およびユーザの意図の両方が応答をプロセスする。例えば、電話の呼び出しが完了した後、幾つかの機器は呼び出された番号を電話帳の番号と比較する。呼び出された番号が見つからないとき、機器はユーザにその番号を記憶するかどうかを問う。ユーザは肯定的または否定的動作を選択し、プロセスがそこから続けられる。しかしながら、現存の対話的方法はある機能に限られ、ユーザが機能を識別したとき、その方法が呼び出される。
【発明の開示】
【０００９】
この発明は、入力装置、ディスプレイおよびマイクロプロセッサを有する機器として具体化される。マイクロプロセッサは入力装置およびディスプレイと通信関係をもつ。マイクロプロセッサは、（ａ）入力装置からの第１選択を受け、第１選択は１つまたはそれよりも多いシンボルを指示し（表示し）、（ｂ）第１選択に対応する情報ではない機能（ｎｏｎ−ｉｎｆｏｒｍａｔｉｏｎ  ｆｕｎｃｔｉｏｎ）を識別し、（ｃ）情報ではない機能に対応する第１オブジェクトを与え、（ｄ）入力装置からの第２選択を受け、第２選択はオブジェクトを指示し、（ｅ）指示されたオブジェクトに対応する機能を実行するようプログラムされる。
【００１０】
この発明は、方法として具体化される。この方法では、入力装置、ディスプレイおよびマイクロプロセッサが提供される。マイクロプロセッサはディスプレイおよび入力装置と通信関係をもつ。第１選択が入力装置から受けられる。第１選択は１つまたはそれよりも多いシンボルを指示する。第１選択に対応する情報ではない機能が識別される。情報ではない機能に対応する第１オブジェクトが与えられる。オブジェクトに対応する第２選択が受けられ、オブジェクトに対応する機能が実行される。
【００１１】
この発明が、コンピュータ読み取りメモリ装置として具体化される。メモリ装置はコンピュータによって実行することができる命令を記憶する。命令はコンピュータに、（ａ）入力装置からの第１選択を受けさせ、第１選択は１つまたはそれよりも多いシンボルを指示し、（ｂ）第１選択に対応する情報ではない機能を識別させ、（ｃ）情報ではない機能に対応する第１オブジェクトを与えさせ、（ｄ）入力装置からの第２選択を受けさせ、第２選択はオブジェクトを指示し、（ｅ）指示されたオブジェクトに対応する機能を実行させることができる。
以下、この発明の実施例を説明する。
【発明を実施するための最良の形態】
【００１２】
この発明は、機能を実行することができる機器１０として具体化される。機能はマイクロプロセッサ１３に仕事を達成させることができる実行可能なコードを含む。機器は入力装置１６，ディスプレイ１９およびマイクロプロセッサ１３を有する。図１はその機器１０を示す。マイクロプロセッサ１３は入力装置１６およびディスプレイ１９と通信関係をもつ。
【００１３】
入力装置１６は例えば、キー２５を押すことによってユーザにシンボル２２を指示させることができる。この入力装置１６において、少なくとも１つのキー２５が１つよりも多いシンボル２２を指示する。シンボル２２は文字または数字であり、他のシンボルと組み合わされ、一連のシンボルを形成するとき、それはユーザが望む情報または機能を識別する。この発明の適宜の入力装置１６は標準電話に見られ、それは２０のキーをもち、８つのそれは各キーにプリントされた１つの番号および３つの文字をもつ。例えば、１つのキーは、数字“２”および文字“ａ”、“ｂ”および“ｃ”をもち、他のキーは、数字“７”および文字“ｐ”、“ｒ”および“ｓ”をもつ。多くの携帯電話は、キーを押すことによってシンボルを解読することができるソフトウエアをもち、そのソウトウエアがこの発明の機器１０に使用される。ソウトウエアはキーを押すことを解読する統計的または決定論的モデルを使用したものである。
【００１４】
便宜上、数字“２”および文字“ａ”、“ｂ”および“ｃ”をもつキー２５を、ここでは“２キー”と呼び、数字“７”および文字“ｐ”、“ｒ”および“ｓ”をもつキー２５は、ここでは“７キー”と呼ぶ。他のキー２５は同様に識別され、これは電話に普通に見られるＤＴＭＦキーパッドのキー２５である。ＤＴＭＦタイプの入力装置１６について説明するが、この発明は、このような入力装置１６に限定されない。
【００１５】
ディスプレイ１９はユーザと通信関係をもつ液晶ディスプレイまたは発光ダイオードを使用したものであってもよい。携帯電話は普通このようなディスプレイ１９をもつ。
【００１６】
マイクロプロセッサ１３は入力装置１６からの第１選択を受けるようプログラムされている。入力装置１６のキー２５を押すことによって、第１選択が与えられ、ユーザの要望が指示され、キー２５にプリントされたシンボル２２の１つが指示される。マイクロプロセッサ１３は第１選択に対応する情報ではない機能を識別する。例えば、識別された機能はカメラを使用して写真を撮るプログラム、または電話番号をダイヤルするプログラムなどのマイクロプロセッサ１３によって実行されるプログラムである。
【００１７】
マイクロプロセッサ１３は情報ではない機能に対応する第１オブジェクト２８を与える。第１オブジェクト２８をディスプレイ１９にディスプレイすることによって第１オブジェクト２８がユーザに与えられる。第１オブジェクト２８はユーザが機能と関連させやすいワードまたはロゴである。例えば、機能がデジタル写真を撮るプログラムである場合、第１オブジェクトはワード“ｃａｍｅｒａ”またはワード“ｐｈｏｔｏ”であってもよく、カメラであることを認識するロゴであってもよい。
【００１８】
第１オブジェクト２８が入力装置１６を使用して選択され、オブジェクト２８としてユーザの要望を指示する第２選択が与えられるようにしてもよい。第２選択を受けると、マイクロプロセッサ１３は第２選択に対応する機能を識別する。
【００１９】
第２選択が受けられると、機能が実行され、これはマイクロプロセッサ１３に仕事を達成させることを含む。例えば、機器１０はユーザにユーザが撮りたい写真について問い合わせるか、またはユーザにユーザが使用したい電話の呼び出しについて問い合わせる。
【００２０】
マイクロプロセッサ１３はテキストまたは電話番号などの機能ではない情報（ｎｏｎ−ｆｕｎｃｔｉｏｎ  ｉｎｆｏｒｍａｔｉｏｎ）を識別するようプログラムされている。その機能ではない情報に対応するオブジェクト３１がディスプレイ１９を介して与えられる。機能ではない情報に対応するオブジェクト３１を、ここでは“第２オブジェクト”と呼ぶ。第２オブジェクト３１が第１オブジェクト２８とともに与えられるようにしてもよい。第２オブジェクト３１は第１選択に対応する機能ではない情報と関連付けられ、ユーザが第２オブジェクト３１と選択すると、機能ではない情報が機能内で使用され、例えば、テキストメッセージに挿入され、電話番号をダイヤルすることに使用されるか、または他の方法でマイクロプロセッサ１３によって使用される。
【００２１】
この発明の実施例では、情報ではない機能および機能ではない情報の両方に対応するオブジェクト３３が与えられる。その実施例では、ユーザがオブジェクト３３を選択し、ユーザに情報ではない機能または機能ではない情報を識別する手段が与えられる。例えば、情報ではない機能をロゴオブジェクトを介して選択することができ、機能ではない情報をテキストオブジェクトを介して選択することができる。
【００２２】
どのようにして機器１０を使用するかを理解するため、ユーザがその携帯電話の２キーを押し、それに２キーが続き、２つのシンボル列が生じた場合を考慮されたい。マイクロプロセッサはユーザがワード“ｃａｍｅｒａ”を入力し、マイクロプロセッサ１３にカメラ機能が望まれている情報を与えることを試みていると想定する。ソフトウエアはユーザが入力装置１６を介して与えようとしているものを予測する。数値を各オブジェクト２８、３１、３３にアサインすることによって、オブジェクト２８、３１、３３がインデックスされ、その後、入力装置１７６のキー２５が押されると、マイクロプロセッサ１３がユーザに押されたキー２５に一致する数値をもつオブジェクト２８、３１、３３を与える。
【００２３】
最初、ユーザの意図は不確実であるが、ユーザが付加的入力をあたえると、可能性のある整合の幅は狭くなる。例えば、ユーザが２キーを押すと、マイクロプロセッサは、ディスプレイ１９を介して、（ｉ）ユーザが電話番号を与えようとしているものと思われる数字２、（ｉｉ）ユーザが写真を撮ることに使用されるＣａｍｅｒａと呼ばれる機能をアクセスしようとしていると思われるカメラロゴオブジェクト２８、および（ｉｉｉ）ユーザが最近テキスメッセージで使用した“ａｐｐｌｅ”、“ｂａｃｋ”および“ｃａｌｚｏｎｅ”などの幾つかのテキストワードなどの複数のオブジェクト２８、３１、３３を与える。数字２およびワード“ａｐｐｌｅ”、“ｂａｃｋ”および“ｃａｌｚｏｎｅ”は第２オブジェクト３１の例である。次のキーで数字２が押されると、ディスプレイが変化し、“ａｐｐｌｅ”オブジェクト３１が除去され、これは２キーではなく、７キーを押すことにょって、テキストワード“ａｐｐｌｅ”が与えられるからである。ユーザがキー２５を押し続けると、多くのオブジェクト２８、３１、３３がディスプレイから除去され、最終的にユーザは例えば、入力装置１６を介して制御されるカーソル３６を使用することによって、望まれるオブジェクト２８、３１、３３を選択することができる。
【００２４】
幾つかの機能がユーザに使用され、１つのキー２５がその機能の選択に指定される。例えば、ユーザが写真を撮ることを望む場合、１つのキー２５がカメラ機能と関連付けられ、写真を撮るとき、ユーザがキー２２６３７２を押す必要はない。例えば、２キーが指示され、ユーザが２キーを押し、キー２５を指示された時間だけ保持すると、ディスプレイ１９がディスプレイ１９を介してカメラ機能オブジェクトを与える。これに応答し、マフイクロプロセッサ１３はディスプレイ１９に与えられるカメラを表わすオブジェクト２８を生じさせ、ユーザはそのオブジェクト２８を選択し、第２選択を与える。第２選択を受けると、マイクロプロセッサ１３はカメラ機能を識別し、写真を撮る。
【００２５】
これに代えて、ユーザが７キーを押し、それに６キーが続くと、マイクロプロセッサ１３はユーザがワード“ｐｈｏｔｏ”を入力し、マイクロプロセッサ１３にカメラ機能が望まれていることを情報提供しようとしているものと仮定する。この様式で、１つよりも多い第１選択が使用され、同様の機能がアクセスされる。
【００２６】
この岐路において、この発明の機器１０のユーザは望まれる最終結果を達成するための情報ではない機能および機能ではない情報の両方を識別する必要がある。例えば、ユーザは電話機能を識別し、ダイヤルする電話番号などの電話の呼び出しに使用される情報を識別する。他の実施例では、ユーザはテキストメッセージ機能を識別し、そのメッセージの受信者のテキストまたは認識などのテキストメッセージを生じさせ、送ることに使用される情報を識別する。他の実施例では、ユーザがカメラ機能を識別し、写真をカラー写真として撮ることを命令する情報を与える。
【００２７】
この発明は、機能を識別する方法として具体化される。図２はその方法を示す。機能はマイクロプロセッサに仕事を達成させることができるプログラムの形式の実行可能なコードを含む。この方法では、入力装置、ディスプレイおよびマイクロプロセッサが提供される（１００）。入力装置はユーザにシンボルを指示させることができる。例えば、ユーザは７キーを押すことによってシンボル“ｒ”を指示し、２キーを押すことによってシンボル“ｃ”を指示し、これによって第１選択を与えることができる。マイクロプロセッサは入力装置と通信関係をもち、ユーザによってなされた選択を容易に受けることができ（１０３）、マイクロプロセツサはディスプレイと通信関係をもち、ユーザにディスプレイを介してオブジェクトを容易に与えることができる（１０６）。
【００２８】
第１選択が入力装置から受けられる（１０３）。第１選択はユーザによって識別された１つまたはそれよりも多いシンボルを指示する。情報ではない機能がマイクロプロセッサによって識別される（１０６）。情報ではない機能は第１選択に対応する。情報ではない機能に対応する第１オブジェクトが与えられ（１０９）、ユーザは入力装置を使用してそのオブジェクトを選択し、第２選択を与え、これによって情報ではない機能の仕事を実行するよう指示することができる。第２選択が受けられ（１１２）、機能が実行される（１１５）。
【００２９】
第１オブジェクトを与えること（１０９）に加え、他のオブジェクトがディスプレイを介して与えられる。例えば、第２オブジェクトが与えられ、これが第１選択に対応する機能ではない情報と関連付けられる。この方法では、ユーザに機能ではない情報に対応するオブジェクトおよび情報ではない機能に対応するオブジェクトが与えられる。機能ではない情報の例は、電話番号およびテキストメッセージに使用されるテキストを含む。情報ではない機能の例は、電話番号をダイヤルすること、ピクチャを撮ること、およびテキストメッセージを送ることを含む。
【００３０】
情報ではない機能に対応するオブジェクトが１つよりも多いシンボル列によってアクセスされ、この方法では、２つまたはそれよりも多いシンボル列を入力することによってユーザに特定のオブジェクトが与えられる（１０９）。例えば、電話機能をアクセスするため、ユーザはワード“ｔｅｌｅｐｈｏｎｅ”のためのシンボル列、またはワード“ｐｈｏｎｅ”のためのシンボル列、またはワード“ｃａｌｌ”のためのシンボル列のすべてまたは一部を与える。
【００３１】
この発明は、コンピュータに読み出しメモリ装置２００として具体化される。命令２０３がメモリ装置２００に記憶され、命令２０３はコンピュータにこの発明の方法を実施させることができる。メモリ装置リーダ２０６が使用され、命令２０３がメモリ装置２００から抜き出され、命令がマイクロプロセッサ１３のようなマイクロプロセッサをもつコンピュータに与えられる。例えば、命令２０３はコンピュータに、（ａ）入力装置からの第１選択を受けさせ、第１選択は１つまたはそれよりも多いシンボルを指示し、（ｂ）第１選択に対応する情報ではない機能を識別させ、（ｃ）情報ではない機能に対応する第１オブジェクトを与えさせ、（ｄ）入力装置からの第２選択を受けさせ、第２選択はオブジェクトを指示し、（ｅ）指示されたオブジェクトに対応する機能を実行させることができる。例えば、命令２０３はコンピュータに、（ａ）入力装置からの第１選択としてのシンボル列“ｖｏｌ”を受けさせ、（ｂ）ボリューム機能を識別させ、（ｃ）スピーカを表わすロゴを与えさせ、（ｄ）そのロゴの選択を受けさせ、（ｅ）ボリューム機能を実施する機器のボリュームを調節させることができる。ボリューム機能は８６５８６３としてコード化され、これはそれらがユーザがＤＴＭＦ入力装置を介してワード“ｖｏｌｕｍｅ”を与えるよう押すキーであるからである。これに加えて、ボリューム機能が７６８６３としてコード化され、これはそれらがユーザがワード“ｓｏｕｎｄ”を与えるよう押キーであるからである。
【００３２】
さらに、命令２０３はコンピュータに第２オブジェクトを与えさせることができ、第２オブジェクトは第１選択に対応する機能ではない情報と関連付けられる。
【００３３】
前述したように、この発明の機器、方法およびメモリ装置は、異なる第１選択を使用して特定の機能をアクセスすることができるよう構成される。その最も最近のものでは、第１選択“ｖｏｌｕｍｅ”または第１選択“ｓｏｕｎｄ”を与えることによってボリューム機能をアクセスすることができる。機器、方法およびメモリ装置は、特定の第１選択が第１機能に対応するオブジェクトを与えるよう構成することができる。その実施例では、第１選択“ｓｏｕｎｄ”を与えると、ユーザにボリューム制御機能のオブジェクトおよび着信音選択機能のオブジェクトが与えられる。異なるシンボル列を同一の機能と関連付け、異なる機能を同一のシンボル列と関連付けることにより、ユーザは機能をより容易にアクセスすることができ、ユーザの経験を増進させ、多くの機能を使用するユーザに大きい満足を与えることができる。
【００３４】
機能が選択されたとき、予想される幾つかの用途が生ずる。例えば、ユーザが電話のカメラ機能を選択すると、ユーザは写真を撮り、それを記憶することができ、イメージを記憶せず、それをメッセージとして受信者に送ることができ、予め記憶されたイメージを送ることもできる。この場合、カメラ機能を選択すると、オプションのリストがディスプレイされ、ユーザは望む機能を最小限のナビゲーションでアクセスすることができる。これまで、そのナビゲーションは種々のメニュー構造を含む長い処理であった。ユーザのニーズを予想するこの能力は、それをユーザの入力と相互参照する機能に展開することによってより増大させることができる。この場合、Ｅｖｅｎｔｓのようなワードの入力がＮｅｗｓ  ｏｒ  Ｃｕｒｒｅｎｔ、Ｅｖｅｎｔｓなどの分類別候補を提供し、これがリアルタイムのニュース送信資料を含むデータストリームを選択するか、またはユーザの機器に局部的に維持され、サービスセンタからダウンロードされない日常的にアップデートされるファイルから生じるイベントのリストをディスプレイすることができる。
【図面の簡単な説明】
【００３５】
【図１】この発明の機器および装置の説明図である。
【図２】この発明の方法のフローチャートである。
【図１】
2008523667.tif 000003
【図２】
2008523667.tif 000004
【手続補正書】
【提出日】平成19年10月23日(2007.10.23)
【手続補正１】
【補正対象書類名】明細書
【補正対象項目名】００１４
【補正方法】変更
【補正の内容】
【００１４】
便宜上、数字“２”および文字“ａ”、“ｂ”および“ｃ”をもつキー２５を、ここでは“２キー”と呼び、数字“７”および文字“ｐ”、“ｒ”および“ｓ”をもつキー２５は、ここでは“７キー”と呼ぶ。他のキー２５は同様に識別され、これは電話に普通に見られるＤＴＭＦ（デュアルトーンマルチ周波数）キーパッドのキー２５である。ＤＴＭＦタイプの入力装置１６について説明するが、この発明は、このような入力装置１６に限定されない。
【手続補正２】
【補正対象書類名】明細書
【補正対象項目名】００２７
【補正方法】変更
【補正の内容】
【００２７】
この発明は、機能を識別する方法として具体化される。図２はその方法を示す。機能はマイクロプロセッサに仕事を達成させることができるプログラムの形式の実行可能なコードを含む。この方法では、入力装置、ディスプレイおよびマイクロプロセッサが提供される（１００）。入力装置はユーザにシンボルを指示させることができる。例えば、ユーザは７キーを押すことによってシンボル“ｒ”を指示し、２キーを押すことによってシンボル“ｃ”を指示し、これによって第１選択を与えることができる。マイクロプロセッサは入力装置と通信関係をもち、ユーザによってなされた選択を容易に受けることができ（１０３）、マイクロプロセツサはディスプレイと通信関係をもち、ユーザにディスプレイを介してオブジェクトを容易に与えることができる（１０９）。
【国際調査報告】
2008523667.tif 000005
2008523667.tif 000006
2008523667.tif 000007